(57)【特許請求の範囲】
【請求項１】
遊技球が用いられる複数の第１遊技機が一列に並べられ、遊技球が用いられる複数の第２遊技機が前記複数の第１遊技機に背中合わせに前記複数の第１遊技機の列方向に沿って一列に並べられる遊技機島設備であって、
前記複数の第１遊技機を支持する第１支持体と、
前記複数の第２遊技機を支持する第２支持体と、
前記第１支持体と前記第２支持体との間に前記複数の第１遊技機の列方向に沿って一列に並べられて除去可能に設けられ、遊技球を貯留する複数の島内タンクと、
前記複数の島内タンクと前記第１支持体との間に設けられ、前記複数の第１遊技機から排出された遊技球を受ける第１アウト樋と、
前記複数の島内タンクと前記第２支持体との間に設けられ、前記複数の第２遊技機から排出された遊技球を受ける第２アウト樋と、
前記遊技機島設備の上部に設けられ、遊技球を貯留する島上タンクと、
前記島上タンクから前記複数の島内タンクに遊技球を補給するための補給経路と、
前記複数の第１遊技機の下に位置する第１膳板と、
前記複数の第２遊技機の下に位置する第２膳板と、
を備え、
前記補給経路は、オーバーフローホース、分岐ボックス及び複数の補給樋を有し、
前記オーバーフローホースは、前記島上タンクと前記分岐ボックスとを接続しており、前記島上タンクに貯留された遊技球のうち余剰の遊技球を前記分岐ボックス内に流下するように形成されており、
前記分岐ボックスは、前記島上タンクの下方に設けられており、前記オーバーフローホースから前記分岐ボックスに流れ込んだ遊技球を前記複数の補給樋に分けて流すように形成されており、
前記複数の補給樋は、前記分岐ボックスと前記複数の島内タンクとを接続しており、前記分岐ボックスから前記複数の補給樋に流れ込んだ遊技球を前記複数の島内タンクに供給するように形成されており、
前記第１アウト樋及び前記第２アウト樋の個々の底面は、前記第１膳板及び前記第２膳板よりも低く、
前記複数の島内タンクの個々の上端は、前記第１膳板及び前記第２膳板よりも高いことを特徴とする遊技機島設備。
【請求項２】
前記複数の島内タンク、前記第１アウト樋及び前記第２アウト樋は、前記第１膳板及び前記第２膳板の間に位置していることを特徴とする請求項１に記載の遊技機島設備。
【発明の詳細な説明】
【技術分野】
【０００１】
本発明は、複数の遊技機が装着される遊技機島設備に関する。
【背景技術】
【０００２】
遊技機には、遊技媒体として遊技球が用いられるパチンコ遊技機や遊技媒体として遊技メダルが用いられるスロットマシンがある。このような遊技機の一群である遊技機島としては、パチンコ遊技機だけが設置されるパチンコ島やスロットマシンだけが設置されるスロット島のように、同じ種類の遊技機だけが設置される遊技機島が一般的である。この遊技機島は「専用島」と呼ばれる。また、遊技機島としては、パチンコ遊技機とスロットマシンの両方が設置されるパチンコ・スロット島のように、異なる種類の遊技機が設置される遊技機島も開発されている。この遊技機島は「共用島」と呼ばれる。通常、共用島では、一列に並ぶ複数のパチンコ遊技機と一列に並ぶ複数のスロットマシンとが互いに背中合わせに配置される。
【０００３】
近年、パチンコ遊技機やスロットマシンの人気が変動することがあり、遊技機島は専用島から共用島に変更されたり、逆に共用島から専用島に変更されたりする機会が増えている。例えば、遊技機島は、専用島であるパチンコ・パチンコ島から共用島であるパチンコ・スロット島に変更されたり、そのパチンコ・スロット島から専用島であるスロット・スロット島に変更されたりする。また、遊技機島は、スロット・スロット島から共用島であるパチンコ・スロット島に変更されたり、そのパチンコ・スロット島から専用島であるパチンコ・パチンコ島に変更されたりする。このような遊技機島の種類変更に伴い、パチンコ遊技機やスロットマシンが装着される遊技機島設備も変更されることになる。
【先行技術文献】
【特許文献】
【０００４】
【特許文献１】特許第４５４４５５３号公報
【発明の概要】
【発明が解決しようとする課題】
【０００５】
しかしながら、従来、前述のような遊技機島の種類変更が考慮され、遊技機島設備が構成されているわけではない。このため、遊技機島の種類変更に伴って遊技機島設備を変更する変更作業に労力や時間がかかるという問題がある。
【０００６】
本発明は、上記の問題点に着目してなされたものであり、その目的は、遊技機島の種類変更に伴う設備変更作業の労力及び時間を抑えることができる遊技機島設備を提供することである。
【課題を解決するための手段】
【０００７】
上記課題を解決する遊技機島設備は、遊技球が用いられる複数の第１遊技機が一列に並べられ、遊技球が用いられる複数の第２遊技機が前記複数の第１遊技機に背中合わせに前記複数の第１遊技機の列方向に沿って一列に並べられる遊技機島設備であって、前記複数の第１遊技機を支持する第１支持体と、前記複数の第２遊技機を支持する第２支持体と、前記第１支持体と前記第２支持体との間に前記複数の第１遊技機の列方向に沿って一列に並べられて除去可能に設けられ、遊技球を貯留する複数の島内タンクと、前記複数の島内タンクと前記第１支持体との間に設けられ、前記複数の第１遊技機から排出された遊技球を受ける第１アウト樋と、前記複数の島内タンクと前記第２支持体との間に設けられ、前記複数の第２遊技機から排出された遊技球を受ける第２アウト樋と、前記遊技機島設備の上部に設けられ、遊技球を貯留する島上タンクと、前記島上タンクから前記複数の島内タンクに遊技球を補給するための補給経路と、前記複数の第１遊技機の下に位置する第１膳板と、前記複数の第２遊技機の下に位置する第２膳板とを備え、前記補給経路は、オーバーフローホース、分岐ボックス及び複数の補給樋を有し、前記オーバーフローホースは、前記島上タンクと前記分岐ボックスとを接続しており、前記島上タンクに貯留された遊技球のうち余剰の遊技球を前記分岐ボックス内に流下するように形成されており、前記分岐ボックスは、前記島上タンクの下方に設けられており、前記オーバーフローホースから前記分岐ボックスに流れ込んだ遊技球を前記複数の補給樋に分けて流すように形成されており、前記複数の補給樋は、前記分岐ボックスと前記複数の島内タンクとを接続しており、前記分岐ボックスから前記複数の補給樋に流れ込んだ遊技球を前記複数の島内タンクに供給するように形成されており、前記第１アウト樋及び前記第２アウト樋の個々の底面は、前記第１膳板及び前記第２膳板よりも低く、前記複数の島内タンクの個々の上端は、前記第１膳板及び前記第２膳板よりも高いことを特徴とする。
【０００８】
上記遊技機島設備について、前記島内タンクは前記第１アウト樋及び前記第２アウト樋により挟まれているようにしてもよい。
【０００９】
上記遊技機島設備について、前記島内タンクは設備の設置面に載置されているようにしてもよい。
【００１０】
上記遊技機島設備について、前記島内タンクは高さ方向の長さが可変な脚部を具備するようにしてもよい。
【００１１】
上記遊技機島設備について、前記島内タンクは２以上の部分に分離可能であるようにしてもよい。
【００１２】
上記遊技機島設備について、前記第１アウト樋は除去可能であるようにしてもよい。
【００１３】
上記遊技機島設備について、前記第１アウト樋は前記第１支持体に取り外し可能に取り付けられているようにしてもよい。
【００１４】
上記遊技機島設備について、前記第１アウト樋は設備の設置面に載置されているようにしてもよい。
【００１５】
上記遊技機島設備について、前記第１アウト樋は２以上の部分に分離可能であるようにしてもよい。
【発明の効果】
【００１６】
本発明によれば、遊技機島の種類変更に伴う設備変更作業の労力及び時間を抑えることができる。
【図面の簡単な説明】
【００１７】
【図１】実施形態に係るパチンコ・パチンコ島における遊技機島設備の概略構成を示す正面図。
【図２】図１の２−２線断面図。
【図３】実施形態に係るパチンコ・パチンコ島における遊技機島設備の島上タンク、島内タンク及び揚送研磨装置の概略構成を示す図。
【図４】実施形態に係るパチンコ・パチンコ島における遊技機島設備のフレーム、一対のアウト樋及び島内タンクの配置関係を示す図。
【図５】実施形態に係るパチンコ・パチンコ島における遊技機島設備のフレーム、一対のアウト樋及び島内タンクの配置関係を示す斜視図。
【図６】実施形態に係るパチンコ・スロット島における遊技機島設備のフレーム、アウト樋及びメダル搬送部の配置関係を示す図。
【発明を実施するための形態】
【００１８】
本発明の一実施形態について図面を参照して説明する。
【００１９】
（基本構成）
図１及び図２に示すように、遊技機島設備１０は、複数のパチンコ遊技機２０と、それらのパチンコ遊技機２０が装着されるフレーム３０と、各パチンコ遊技機２０に供給される遊技媒体を循環させる遊技媒体循環機構４０とを備えている。
【００２０】
この遊技機島設備１０は、パチンコ遊技機２０だけが装着されるパチンコ・パチンコ島の設備であるが、パチンコ遊技機２０とスロットマシンの両方が装着されるパチンコ・スロット島やスロットマシンだけが装着されるスロット・スロット島の設備に変更可能である。なお、パチンコ遊技機２０やスロットマシンは、どちらも遊技機の一例である。
【００２１】
各パチンコ遊技機２０は背中合わせにされ、二列に並べられている。パチンコ遊技機２０が一列に並ぶ配列方向を「長手方向」とし、長手方向と直交する水平方向を「短手方向」とする。さらに、長手方向及び短手方向の両方と直交する方向を「高さ方向」とする。
【００２２】
フレーム３０は、遊技ホールのフロア（設備の設置面）上に構築される。このフレーム３０は、幕板３１と、複数の収納枠３２と、膳板（天板）３３と、腰板３４とを有している。各収納枠３２にはそれぞれパチンコ遊技機２０が装着され、それらのパチンコ遊技機２０は各膳板３３上に位置する。
【００２３】
遊技媒体循環機構４０は、島上タンク４１と、複数の供給樋４２と、複数の供給シュータ４３と、複数の排出シュータ４４（図２参照）と、複数のアウト樋４５と、オーバーフローホース４６と、分岐ボックス４７と、複数の補給樋４８と、複数の島内タンク４９と、複数の合流ボックス５０と、複数の誘導樋５１と、揚送研磨装置５２とを具備している。この遊技媒体循環機構４０は、遊技機島設備１０において遊技球を循環して再利用可能に構成されている。
【００２４】
島上タンク４１は、遊技機島設備１０の中央上部に設けられている。この島上タンク４１には、隣の遊技機島設備から供給される遊技球が流入する流入口４１ａや隣の遊技機島設備に供給される遊技球が流出する流出口４１ｂが形成されている。これらの流入口４１ａや流出口４１ｂには、それぞれ隣の遊技機島設備につながる渡り樋（図示省略）が接続されている。
【００２５】
各供給樋４２は、島上タンク４１から互いに反対の方向に向かって、島上タンク４１側を上流端とする傾斜態様で遊技機島設備１０の長手方向に沿って延びている。これらの供給樋４２は、島上タンク４１から流れ込んだ遊技球を遊技機島設備１０の長手方向に沿って島上タンク４１から離れる方向に搬送する。
【００２６】
各供給シュータ４３は、それぞれ供給樋４２から分岐して各パチンコ遊技機２０に接続されている。これらの供給シュータ４３は、供給樋４２から流れ込む遊技球を各パチンコ遊技機２０に供給する。
【００２７】
各排出シュータ４４は、それぞれ各パチンコ遊技機２０に接続されている。これらの排出シュータ４４は、それぞれ接続されたパチンコ遊技機２０で使用された遊技球（アウト球）を各アウト樋４５に排出するように形成されている。
【００２８】
各アウト樋４５は、遊技機島設備１０の長手方向に沿って延びており、それぞれ対応する排出シュータ４４から排出された遊技球を受け取る。これらのアウト樋４５は、遊技機島設備１０の中央に向かって徐々に傾斜する底面を有しており、各排出シュータ４４から流れ込んだ遊技球を遊技機島設備１０の中央に向かって移送するように形成されている。
【００２９】
図１及び図２に加え、図３に示すように、オーバーフローホース４６は、島上タンク４１と分岐ボックス４７を接続しており、島上タンク４１に貯留された遊技球のうち余剰の遊技球を分岐ボックス４７内に流下するように形成されている。
【００３０】
分岐ボックス４７は、島上タンク４１の下方であって遊技機島設備１０の中央付近に設けられており、オーバーフローホース４６から流れ込んだ遊技球を複数の補給樋４８に分けて流す。
【００３１】
各補給樋４８は、分岐ボックス４７から互いに反対の方向に向かって、分岐ボックス４７側を上流端とする傾斜態様で遊技機島設備１０の長手方向に沿って延びている。これらの補給樋４８は、分岐ボックス４７と各島内タンク４９の上部とを接続しており、それぞれ対応する島内タンク４９に遊技球を供給する。各補給樋４８は、補給経路の一部として機能する。
【００３２】
ここで、オーバーフローホース４６、分岐ボックス４７及び各補給樋４８は、各島内タンク４９に遊技球を補給するための補給経路として機能する。また、分岐ボックス４７は、各補給樋４８に遊技球を分けて流す分岐機構の一例である。
【００３３】
各島内タンク４９は、遊技機島設備１０の中央付近に位置する揚送研磨装置５２を間にして設けられている。これらの島内タンク４９は、上部が開口して遊技機島設備１０の長手方向に沿って延びる箱形状に形成されており、それぞれ対応する補給樋４８から流れ込む遊技球を貯留する。各島内タンク４９は、それぞれ遊技機島設備１０の中央に向かって徐々に傾斜する底面を有しており、各補給樋４８から流れ込んだ遊技球を遊技機島設備１０の中央に向かって、すなわち合流ボックス５０に向かって流すように形成されている。さらに、各島内タンク４９は、下流側側面の下端部に形成された開口から遊技球を合流ボックス５０に移送することが可能にそれぞれ形成されている。
【００３４】
また、各島内タンク４９は、高さ方向の長さが可変な複数の脚部４９ａをそれぞれ有している。これらの脚部４９ａは、島内タンク４９の下面における長手方向の両端部に個別に設けられている。各脚部４９ａの高さ方向の長さを変えることが可能であるため、それらの脚部４９ａの高さ方向の長さを変えることで、島内タンク４９の底面の傾斜度合いを調整することができる。これにより、島内タンク４９に流れ込んだ遊技球を遊技機島設備１０の中央に向かって確実に流すことができる。なお、脚部４９ａの高さ方向の長さを可変とする機構としては、例えば、高さ調整ネジを用いることが可能である。
【００３５】
さらに、各島内タンク４９は、複数の誘導板４９ｂをそれぞれ有している。これらの誘導板４９ｂは、分岐ボックス４７側を上流端とする傾斜態様で遊技機島設備１０の長手方向に沿って島内タンク４９の上部開口を塞ぐように並べられており、島内タンク４９に着脱可能（取り付け及び取り外し可能）に形成されている。各誘導板４９ｂは、補給樋４８から流れ込んだ遊技球を島内タンク４９における補給樋４８側と反対側の端部に向かって流す。なお、各誘導板４９ｂと島内タンク４９の側壁（内側面）との間には、誘導板４９ｂの端面に沿って延びる隙間（図示省略）が所定の長さ及び間隔で形成されている。
【００３６】
このため、各誘導板４９ｂは、前述の各隙間に遊技球を誘導するよう、遊技機島設備１０の長手方向に沿う中央部分を頂点とする逆Ｖ字形状に形成されている。このＶ字角度は、各誘導板４９ｂが、補給樋４８から流れ込んだ遊技球を島内タンク４９における補給樋４８側と反対側の端部に向かって流しつつ、前述の各隙間から島内タンク４９内に落下させるように設けられている。このため、補給樋４８から流れ込んだ遊技球は、誘導板４９ｂ上を流れて各隙間から島内タンク４９内に落下して貯留される。これにより、補給樋４８から流れ込んだ遊技球が島内タンク４９の一部に集中して落下することが無くなり、島内タンク４９の全体に分散されて収容されるため、島内タンク４９は遊技球を均一に貯留することができる。
【００３７】
各合流ボックス５０は、一対の島内タンク４９の間に位置付けられ、それぞれ島内タンク４９に隣接するように設けられている。これらの合流ボックス５０は、島内タンク４９から流れ込んだ遊技球と、その島内タンク４９を挟む二つのアウト樋４５から流れ込んだ遊技球を合流させて誘導樋５１に流す。
【００３８】
誘導樋５１は、合流ボックス５０側を上流端とする傾斜態様で合流ボックス５０から遊技機島設備１０の長手方向に沿って延びており、合流ボックス５０から流れ込んだ遊技球を揚送研磨装置５２に移送する。
【００３９】
揚送研磨装置５２は、遊技機島設備１０の中央付近に設けられており、遊技球と研磨材を攪拌しながら島上タンク４１に揚送し、遊技球の研磨と揚送を行うように構成されている（詳しくは後述する）。研磨材は、樹脂製の粒であって、多孔質を有し、遊技球との攪拌により遊技球の汚れを除去することが可能なものである。
【００４０】
このような遊技機島設備１０において、島上タンク４１に貯留された遊技球は、各供給樋４２及び各供給シュータ４３を介して各パチンコ遊技機２０に供給される。パチンコ遊技機２０で使用された遊技球（アウト球）は、各排出シュータ４４を介して各アウト樋４５を流れ、各合流ボックス５０及び各誘導樋５１を介して揚送研磨装置５２に移送される。揚送研磨装置５２に移送された遊技球は、揚送研磨装置５２により研磨されながら、島上タンク４１に揚送されて貯留される。島上タンク４１に貯留された遊技球のうち余剰の遊技球は、オーバーフローホース４６を流下し、分岐ボックス４７により分配されて各島内タンク４９に流れ込んで貯留される。これらの島内タンク４９に貯留された遊技球は、各アウト樋４５から流れ込んだ遊技球と各合流ボックス５０で合流し、各誘導樋５１を介して揚送研磨装置５２に移送される。また、前述の余剰の遊技球は、島上タンク４１の流出口４１ｂから流れ出し、隣接する遊技機島設備に渡り樋を介して供給される。
【００４１】
（揚送研磨装置）
次に、揚送研磨装置５２について図３を参照して説明する。
【００４２】
図３に示すように、揚送研磨装置５２は、合流部５２１と、研磨材ストック５２２と、戻し通路５２３と、移送機構５２４と、分離機構５２５と、回収機構５２６と、集塵機構５２７とを備えている。
【００４３】
合流部５２１は、遊技ホールのフロア（設備の設置面）上に設けられている。この合流部５２１は、各誘導樋５１から流れてくる遊技球と、戻し通路５２３から流れてくる研磨材を合流させるように形成されている。
【００４４】
研磨材ストック５２２は、島上タンク４１の下方に位置付けられ、オーバーフローホース４６や分岐ボックス４７の背面側に設けられている。この研磨材ストック５２２は、研磨材を貯留する貯留部である。
【００４５】
戻し通路５２３は、研磨材ストック５２２の下部に連結されている。この戻し通路５２３は、研磨材ストック５２２側を上流端とする傾斜態様で研磨材ストック５２２の下部から合流部５２１に延びており、研磨材ストック５２２から合流部５２１に研磨材を戻すように形成されている。
【００４６】
移送機構５２４は、筒体５２４ａと、スクリュー部材５２４ｂと、モータ５２４ｃとを具備している。筒体５２４ａはＪ字状に立設されており、その一端は合流部５２１に接続され、他端は島上タンク４１内の上部付近まで延びている。スクリュー部材５２４ｂは、螺旋状の部材であり、筒体５２４ａの内部に挿し通されている。モータ５２４ｃは、島上タンク４１内の上部に設けられており、スクリュー部材５２４ｂを回転させる。スクリュー部材５２４ｂがモータ５２４ｃにより所定方向に回転すると、遊技球と研磨材が合流部５２１から島上タンク４１へ向かって筒体５２４ａ内で攪拌されながら移送される。この間に遊技球が研磨材によって研磨される。移送された遊技球及び研磨材は、島上タンク４１内の上部付近まで延びる筒体５２４ａの上端から分離機構５２５へと流出する。
【００４７】
分離機構５２５は、島上タンク４１内に設けられている。この分離機構５２５は、移送機構５２４により移送されて筒体５２４ａの上端から流れ出た遊技球と研磨材をその筒体５２４ａから離れる方向へ流しつつ、その間に研磨材だけを落下させるように形成されている。
【００４８】
回収機構５２６は、複数の回収体５２６ａと、複数の回収管５２６ｂとを具備している。各回収体５２６ａは、島上タンク４１内であって、分離機構５２５により分けられて落下する研磨材を受け取ることが可能な位置に設けられている。これらの回収体５２６ａには、それぞれ回収管５２６ｂの一端が接続されている。各回収管５２６ｂの他端は研磨材ストック５２２の上端側に接続されている。これらの回収管５２６ｂは、それぞれ内部に研磨材を通して研磨材ストック５２２の内部に導く。
【００４９】
集塵機構５２７は、第１集塵経路５２７ａと、第２集塵経路５２７ｂと、集塵装置５２７ｃとを具備している。この集塵機構５２７は、汚れ成分を集塵する機構である。
【００５０】
第１集塵経路５２７ａは、研磨材ストック５２２内から汚れ成分を収集するための経路である。第１集塵経路５２７ａは、例えば、集塵ノズルと第１集塵ホースとから構成されている。集塵ノズルは、研磨材ストック５２２の壁に設けられた穴から研磨材ストック５２２の内部へ突出するようにして取り付けられる。集塵ノズルは、汚れ成分が通過でき、研磨材が通過できない程度の隙間を有する。集塵ノズルの基端部には第１集塵ホースの一端が接続される。第１集塵ホースの他端は集塵装置５２７ｃに接続される。なお、研磨材は、集塵ノズルに吸い込まれずに落下し、研磨材ストック５２２に貯留される。
【００５１】
第２集塵経路５２７ｂは、戻し通路５２３内から汚れ成分を収集するための経路である。第２集塵経路５２７ｂは、研磨材ストック５２２において前述の集塵ノズルにより吸い込まれなかった汚れ成分や回収管５２６ｂを通じて流下した汚れ成分などを収集するために用いられる。第２集塵経路５２７ｂは、例えば、集塵口と第２集塵ホースとから構成される。集塵口は、戻し通路５２３の底部に設けられる。集塵口は、汚れ成分が通過でき、研磨材が通過できない程度の隙間を有する。第２集塵ホースの他端は集塵装置５２７ｃに接続される。なお、研磨材は、集塵口に吸い込まれずに合流部５２１へ導かれる。
【００５２】
集塵装置５２７ｃは、空気を吸引可能な動力を有し、第１集塵経路５２７ａを介して研磨材ストック５２２内の汚れ成分を空気と共に吸引して収集するとともに、第２集塵経路５２７ｂを介して戻し通路５２３内の汚れ成分を空気と共に吸引して収集する。このように、集塵装置５２７ｃは第１集塵経路５２７ａ及び第２集塵経路５２７ｂの双方を介して汚れ成分を収集する。したがって、二つの集塵経路を用いて汚れ成分を収集することによって、研磨材と汚れ成分との分別の確実性を向上させることができ、さらに、省スペース化を達成することができる。
【００５３】
（フレーム、アウト樋及び島内タンクの配置関係）
次に、フレーム３０、アウト樋４５及び島内タンク４９の配置関係について図４及び図５を参照して説明する。なお、図４及び図５では、配置関係の説明に不要となる部分や部材を省略している。また、図１に示すように、遊技機島設備１０の中央に対して左右に一対のアウト樋４５及び島内タンク４９があるが、左右どちらの配置関係も同様であるため、一方の一対のアウト樋４５及び島内タンク４９の配置関係を説明する。
【００５４】
ここで、前述の一対のアウト樋４５を区別するため、図４及び図５に示すように、第１アウト樋４５ａ及び第２アウト樋４５ｂとして説明し、さらに、前述の正面側と背面側のパチンコ遊技機２０を区別するため、一方のパチンコ遊技機２０を第１パチンコ遊技機２０ａとし、他方のパチンコ遊技機２０を第２パチンコ遊技機２０ｂとして説明する。また、正面側のパチンコ遊技機２０と背面側のパチンコ遊技機２０との間の空間を上部スペースとし、その上部スペースよりも下方の空間を下部スペースとして説明する。
【００５５】
フレーム３０は、前述の幕板３１、収納枠３２、膳板３３及び腰板３４に加え、図４及び図５に示すように、第１支持体３５と、第２支持体３６と、連結体３７とを具備している。これらの第１支持体３５、第２支持体３６及び連結体３７は、基本となる骨組みを構成している。
【００５６】
第１支持体３５は、一列に並ぶ第１パチンコ遊技機２０ａを支持する。この第１支持体３５は、複数の島柱３５ａと、連結部材３５ｂと、第１着脱構造部３５ｃとを具備している。
【００５７】
各島柱３５ａは、遊技機島設備１０の長手方向に並べられて遊技ホールのフロア（設備の設置面）上に立設されている。連結部材３５ｂは、遊技機島設備１０の長手方向に沿うように各島柱３５ａに固定されており、遊技機島設備１０の長手方向に並ぶ複数本の島柱３５ａを連結している。第１着脱構造部３５ｃは、遊技機島設備１０の長手方向に並ぶ各島柱３５ａにおいて高さ位置が同じ複数の部分により構成されており、これらの部分には、それぞれ穴部３５ｃ１が形成されている。なお、前述の高さ位置は、例えば、膳板３３より高い位置である（図４参照）。
【００５８】
第２支持体３６は、一列に並ぶ第２パチンコ遊技機２０ｂを支持する。第２支持体３６は、前述の第１支持体３５と同様、複数の島柱３６ａと、連結部材３６ｂと、第２着脱構造部３６ｃとを具備している。
【００５９】
各島柱３６ａは、遊技機島設備１０の長手方向に並べられて遊技ホールのフロア上に設置されている。連結部材３６ｂは、遊技機島設備１０の長手方向に沿うように各島柱３６ａに取り付けられており、遊技機島設備１０の長手方向に並ぶ複数本の島柱３６ａを連結している。第２着脱構造部３６ｃは、遊技機島設備１０の長手方向に並ぶ各島柱３６ａにおいて高さ位置が同じ複数の部分により構成されており、これらの部分には、前述の第１着脱構造部３５ｃと同様、それぞれ穴部３６ｃ１が形成されている。なお、前述の高さ位置は、例えば、膳板３３より高い位置である（図４参照）。
【００６０】
連結体３７は、複数の連結部材３７ａを具備しており、それらの連結部材３７ａにより第１支持体３５と第２支持体３６を連結している。各連結部材３７ａは、それぞれ遊技機島設備１０の短手方向に沿うように、遊技機島設備１０の短手方向に並ぶ各島柱３５ａ、３６ａの上部に固定されており、それらの島柱３５ａ、３６ａを連結している。
【００６１】
島内タンク４９は、第１支持体３５と第２支持体３６との間に位置付けられ、上部スペース及び下部スペースにわたって設けられている。この島内タンク４９は、遊技ホールのフロアに載置されており、遊技機島設備１０から除去可能及び遊技機島設備１０に装着可能に形成されている。なお、島内タンク４９は、前述のように各脚部４９ａを有しており、これらの脚部４９ａにより設備の載置面上に独立して立っている。
【００６２】
第１アウト樋４５ａは、島内タンク４９と第１支持体３５との間に位置付けられ、下部スペースに設けられている。この第１アウト樋４５ａの底面は膳板３３よりも低く、第１アウト樋４５ａは、一列に並ぶ各第１パチンコ遊技機２０ａから排出された遊技球を受ける。第１アウト樋４５ａは、第１支持体３５に着脱可能（取り付け及び取り外し可能）に形成されている。この第１アウト樋４５ａには、第１着脱構造部３５ｃの各穴部３５ｃ１に挿入される複数の挿入部４５ａ１が形成されている。これらの挿入部４５ａ１がそれぞれ各穴部３５ｃ１に係合し、第１アウト樋４５ａが第１支持体３５に取り付けられる。
【００６３】
第２アウト樋４５ｂは、島内タンク４９と第２支持体３６との間に位置付けられ、下部スペースに設けられている。この第２アウト樋４５ｂの底面は、第１アウト樋４５ａと同様、膳板３３よりも低く、第２アウト樋４５ｂは、一列に並ぶ第２パチンコ遊技機２０ｂから排出された遊技球を受ける。第２アウト樋４５ｂは、第２支持体３６に着脱可能（取り付け及び取り外し可能）に形成されている。この第２アウト樋４５ｂには、第２着脱構造部３６ｃの各穴部３６ｃ１に挿入される複数の挿入部４５ｂ１が形成されている。各挿入部４５ｂ１がそれぞれ各穴部３６ｃ１に係合し、第２アウト樋４５ｂが第２支持体３６に取り付けられる。
【００６４】
ここで、第１アウト樋４５ａ及び第２アウト樋４５ｂは、島内タンク４９を間にして対向し、島内タンク４９に接触するように設けられている。また、第１アウト樋４５ａの各挿入部４５ａ１及び第２アウト樋４５ｂの各挿入部４５ｂ１は同じ構造であり、さらに、第１着脱構造部３５ｃ及び第２着脱構造部３６ｃも同じ構造である。
【００６５】
（遊技機島設備の変更手順）
次に、図４に示すパチンコ・パチンコ島を図６に示すパチンコ・スロット島に変更する変更手順について説明する。
【００６６】
図４に示すパチンコ・パチンコ島において、全ての第２パチンコ遊技機２０ｂ及び第２アウト樋４５ｂが第２支持体３６から取り外され、さらに、全ての島内タンク４９が遊技機島設備１０から除去される。次に、図６に示すように、メダル搬送部７０が第１支持体３５と第２支持体３６との間に位置付けられ、複数の受け部材３８により下部スペースに設けられる。次いで、第２支持体３６側の膳板３３が下げられ、各スロットマシン６０が第２支持体３６に装着される。なお、メダルシュータ（図示省略）もスロットマシン６０ごとに設置される。これにより、各スロットマシン６０から排出された遊技メダルはメダルシュータを介してメダル搬送部７０に流れ込む。また、不要な渡り樋（図示省略）も取り外されて遊技機島設備１０から除去される。前述のように第２アウト樋４５ｂを遊技機島設備１０から除去し、島内タンク４９をメダル搬送部７０に換えることで、パチンコ・パチンコ島をパチンコ・スロット島に容易に変更することが可能である。また、逆の手順でパチンコ・スロット島をパチンコ・パチンコ島に変更することも可能である。
【００６７】
メダル搬送部７０は、図６に示すように、第１パチンコ遊技機２０ａ側及びスロットマシン６０側の膳板３３よりも低い位置に設置されており、遊技機島設備１０の長手方向に沿って延びている。なお、スロットマシン６０側の膳板３３は第１パチンコ遊技機２０ａ側の膳板３３よりも低い位置に取り付けられている。このメダル搬送部７０は、各受け部材３８により支持されており、スロットマシン６０から排出されたメダルを遊技機島設備１０の長手方向に搬送し、遊技機島設備１０の長手方向の端に位置する回収ボックス（図示省略）に運ぶ。メダル搬送部７０としては、例えば、ベルトコンベアを用いることが可能である。
【００６８】
各受け部材３８は、それぞれ遊技機島設備１０の短手方向に沿うように、遊技機島設備１０の短手方向に並ぶ各島柱３５ａ、３６ａに固定されており、メダル搬送部７０の下面を支持している。なお、各受け部材３８はフレーム３０の補強部材としても機能する。これらの受け部材３８は各島柱３５ａ、３６ａに着脱可能に設けられており、メダル搬送部７０は各受け部材３８とともに遊技機島設備１０から除去可能に、さらに、遊技機島設備１０に装着可能になっている。
【００６９】
ここで、第１アウト樋４５ａ、第２アウト樋４５ｂ及びメダル搬送部７０は、それぞれ遊技媒体回収部として機能する。ただし、第１アウト樋４５ａ及び第２アウト樋４５ｂにおいて遊技媒体は遊技球であり、メダル搬送部７０において遊技媒体は遊技メダルである。
【００７０】
次に、図６に示すパチンコ・スロット島をスロット・スロット島に変更する場合について説明する。図６に示すパチンコ・スロット島において、全ての第１パチンコ遊技機２０ａ及び第１アウト樋４５ａが第１支持体３５から取り外され、第１支持体３５側の膳板３３が下げられ、各スロットマシン６０が第１支持体３５に装着される。前述と同様、メダルシュータ（図示省略）もスロットマシン６０ごとに設置され、不要な渡り樋（図示省略）も取り外されて遊技機島設備１０から除去される。前述のように残りの第１アウト樋４５ａを遊技機島設備１０から除去することで、パチンコ・スロット島をスロット・スロット島に容易に変更することが可能である。また、逆の手順でスロット・スロット島をスロット・パチンコ島に変更することも可能である。
【００７１】
次いで、図４に示すパチンコ・パチンコ島を直接スロット・スロット島に変更する場合について説明する。まず、図４に示すパチンコ・パチンコ島において、全ての第１パチンコ遊技機２０ａ及び第２パチンコ遊技機２０ｂが第１支持体３５及び第２支持体３６から取り外される。さらに、全ての第１アウト樋４５ａが第１支持体３５から、全ての第２アウト樋４５ｂが第２支持体３６から取り外され、全ての島内タンク４９が遊技機島設備１０から除去される。そして、メダル搬送部７０が第１支持体３５と第２支持体３６との間に位置付けられ、各受け部材３８により下部スペースに設けられる。次いで、第１支持体３５側及び第２支持体３６側の膳板３３が下げられ、各スロットマシン６０が第１支持体３５及び第２支持体３６に装着される。前述と同様、メダルシュータ（図示省略）もスロットマシン６０ごとに設置され、不要な渡り樋（図示省略）も取り外されて遊技機島設備１０から除去される。前述のように第１アウト樋４５ａ及び第２アウト樋４５ｂを遊技機島設備１０から除去し、島内タンク４９をメダル搬送部７０に換えることで、パチンコ・パチンコ島を直接スロット・スロット島に容易に変更することができる。また、逆の手順でスロット・スロット島を直接パチンコ・パチンコ島に変更することも可能である。
【００７２】
また、図４に示すパチンコ・パチンコ島、すなわち島内タンク４９を備えるパチンコ・パチンコ島を、島内タンク４９を備えないパチンコ・パチンコ島に変更する場合について説明する。この場合には、図４に示すパチンコ・パチンコ島において、島内タンク４９だけが遊技機島設備１０から除去される。この島内タンク４９は遊技機島設備１０から除去可能であり、島内タンク４９を備えるパチンコ・パチンコ島を、島内タンク４９を備えないパチンコ・パチンコ島に容易に変更することができる。また、逆の手順で、島内タンク４９を備えないパチンコ島を、島内タンク４９を備えるパチンコ・パチンコ島に変更することも可能である。
【００７３】
以上説明したように、実施形態によれば、島内タンク４９が第１支持体３５と第２支持体３６との間に除去可能に設けられている。さらに、第１アウト樋４５ａが島内タンク４９と第１支持体３５との間に設けられており、第２アウト樋４５ｂが島内タンク４９と第２支持体３６との間に設けられている。このように島内タンク４９が遊技機島設備１０から除去可能であり、島内タンク４９を備えるパチンコ・パチンコ島を、島内タンク４９を備えないパチンコ・パチンコ島に容易に変更することが可能である。さらに、島内タンク４９は遊技機島設備１０に装着可能であり、前述の除去手順と逆の手順で、島内タンク４９を備えないパチンコ・パチンコ島を、島内タンク４９を備えるパチンコ・パチンコ島に変更することも可能である。このように遊技機島設備１０は遊技機島の種類変更に対応するように構成されているので、遊技機島の種類変更に伴う設備変更作業の労力及び時間を抑えることができる。
【００７４】
また、第１アウト樋４５ａ及び第２アウト樋４５ｂは遊技機島設備１０から除去可能である。これにより、パチンコ・パチンコ島をパチンコ・スロット島に変更する場合には、第１アウト樋４５ａ及び第２アウト樋４５ｂのどちらか一方を遊技機島設備１０から除去し、島内タンク４９をメダル搬送部７０に換えることで、パチンコ・パチンコ島をパチンコ・スロット島に容易に変更することが可能である。さらに、第１アウト樋４５ａ及び第２アウト樋４５ｂは遊技機島設備１０に装着可能であり、前述の除去手順と逆の手順でパチンコ・スロット島をパチンコ・パチンコ島に戻すことも可能である。このように遊技機島設備１０は遊技機島の種類変更に対応するように構成されているので、遊技機島の種類変更に伴う設備変更作業の労力及び時間を抑えることができる。
【００７５】
また、パチンコ・スロット島をスロット・スロット島に変更する場合には、前述の残りの第１アウト樋４５ａ又は第２アウト樋４５ｂを遊技機島設備１０から除去することで、パチンコ・スロット島をスロット・スロット島に容易に変更することが可能である。さらに、その逆の手順でパチンコ・スロット島をパチンコ・パチンコ島に戻すことも可能である。例えば、第１アウト樋４５ａが残っている場合（図６参照）、その第１アウト樋４５ａは第１支持体３５の第１着脱構造部３５ｃに取り外し及び取り付け可能に取り付けられている。これにより、第１アウト樋４５ａを取り外すことでパチンコ・スロット島をスロット・スロット島に、逆に、第１アウト樋４５ａを取り付けることでスロット・スロット島をパチンコ・スロット島に容易に変更することが可能である。このように遊技機島設備１０は遊技機島の種類変更に対応するように構成されているので、遊技機島の種類変更に伴う設備変更作業の労力及び時間を抑えることができる。
【００７６】
また、第１アウト樋４５ａ及び第２アウト樋４５ｂの双方が存在している。これにより、パチンコ・パチンコ島をパチンコ・スロット島に変更する場合、遊技機島設備１０の正面側及び背面側のどちらにスロットマシン６０を装着しても、スロットマシン６０側に位置する第１アウト樋４５ａあるいは第２アウト樋４５ｂを遊技機島設備１０から除去すれば良い。このため、店舗側が希望するレイアウトに容易に対応することが可能であり、遊技機島の種類変更に伴う設備変更作業の労力及び時間を抑えることができる。
【００７７】
なお、パチンコ・パチンコ島を直接スロット・スロット島に容易に変更することも可能であり、スロット・スロット島を直接パチンコ・パチンコ島に容易に戻すことも可能である。このように遊技機島設備１０は遊技機島の種類変更に対応するように構成されているので、遊技機島の種類変更に伴う設備変更作業の労力及び時間を抑えることができる。
【００７８】
ここで、通常の遊技機島設備では、正面側及び背面側の各パチンコ遊技機２０に共通のアウト樋が存在しており、この共通のアウト樋により島内タンク４９を設置することができない構造になっている。さらに、その構造において、パチンコ・パチンコ島をパチンコ・スロット島に変更する場合には、作業者はメダル搬送部７０を設置するため、数種の工具を用いて共通のアウト樋を解体してメダル搬送部７０を設置し、加えて、新たなアウト樋を設置する作業を行う必要がある。
【００７９】
一方、本実施形態によれば、第１アウト樋４５ａ及び第２アウト樋４５ｂを予め設置しておき、第１アウト樋４５ａ及び第２アウト樋４５ｂのどちらか一方を遊技機島設備１０から除去し、島内タンク４９をメダル搬送部７０に換える。これにより、パチンコ・パチンコ島をパチンコ・スロット島に容易に変更することが可能であり、遊技機島の種類変更に伴う設備変更作業の労力及び時間を抑えることができる。さらに、第１アウト樋４５ａ及び第２アウト樋４５ｂが予め設置されている場合でも、遊技機島設備１０に島内タンク４９を設けることができる。また、島内タンク４９を大型化する場合にも、その大型化を阻害するような部材が遊技機島設備１０の上部スペースに存在しないため、島内タンク４９を容易に大型化し、遊技球の貯留量を増やすことができる。
【００８０】
（他の実施形態）
前述の実施形態においては、島内タンク４９を遊技ホールのフロア（設備の設置面）に載置するように形成しているが、これに限るものではなく、例えば、島内タンク４９を第１支持体３５や第２支持体３６、補強部材などに取り外し可能に取り付けるようにしても良い。また、島内タンク４９を２以上の部分に例えば遊技機島設備１０の長手方向に分離可能に形成することも可能である。この場合には、島内タンク４９の除去時に島内タンク４９を分離して取り出すことが可能になるので、遊技機島設備１０から島内タンク４９を容易に除去することができる。さらに、島内タンク４９を分離及び接合可能に形成することもできる。この場合には、分離された島内タンク４９を接合して元に戻すことが可能であり、再び遊技機島設備１０で用いることができる。
【００８１】
また、前述の実施形態においては、第１アウト樋４５ａを第１支持体３５に取り外し可能に取り付けているが、これに限るものではなく、例えば、第１アウト樋４５ａを遊技ホールのフロアに載置するように形成しても良い。この場合、第１アウト樋４５ａは遊技ホールのフロア上に独立して立つことになり、遊技機島設備１０から第１アウト樋４５ａを容易に除去することができる。また、第１アウト樋４５ａを２以上の部分に例えば遊技機島設備１０の長手方向に分離可能に形成することも可能である。この場合には、第１アウト樋４５ａの除去時に第１アウト樋４５ａを分離して取り出すことが可能になるので、遊技機島設備１０から第１アウト樋４５ａを容易に除去することができる。さらに、第１アウト樋４５ａを分離及び接合可能に形成することもできる。この場合には、分離された第１アウト樋４５ａを接合して元に戻すことが可能であり、再び遊技機島設備１０で用いることができる。第２アウト樋４５ｂも同様に、遊技ホールのフロアに載置することが可能であり、また、２以上の部分に分離可能に形成することも可能であり、さらに、接合可能に形成することも可能である。
【００８２】
また、前述の実施形態においては、第１アウト樋４５ａ及び第２アウト樋４５ｂの両方を遊技機島設備１０から除去可能に形成しているが、これに限るものではなく、例えば、第１アウト樋４５ａ及び第２アウト樋４５ｂのどちらか一方だけを遊技機島設備１０から除去可能に形成するようにしても良い。
【００８３】
また、前述の実施形態においては、第１アウト樋４５ａ及び第２アウト樋４５ｂにより島内タンク４９を挟むように第１アウト樋４５ａ及び第２アウト樋４５ｂを設けているが、これに限るものではなく、例えば、第１アウト樋４５ａ及び第２アウト樋４５ｂが島内タンク４９を間にして対向しないよう、第１アウト樋４５ａ及び第２アウト樋４５ｂを高さ方向にずらして設けるようにしても良い。
【００８４】
また、前述の実施形態においては、第１着脱構造部３５ｃに各穴部３５ｃ１を形成しているが、これに限るものではなく、例えば、第１着脱構造部３５ｃとして、第１アウト樋４５ａを支持する支持部を設けるようにしても良い。この支持部としては、例えば、第１アウト樋４５ａの下面を支持する複数の支持部材を用いることが可能である。これらの支持部材は各島柱３５ａなどに固定される。同様に、第２着脱構造部３６ｃに各穴部３６ｃ１を形成しているが、これに限るものではなく、例えば、第２着脱構造部３６ｃとして、第２アウト樋４５ｂを支持する支持部を設けるようにしても良い。この支持部としても、前述のような複数の支持部材を用いることが可能である。
【００８５】
また、前述の実施形態においては、第１着脱構造部３５ｃ及び第２着脱構造部３６ｃを同じ構造に形成しているが、これに限るものではなく、第１着脱構造部３５ｃ及び第２着脱構造部３６ｃを異なる構造に形成するようにしても良い。ただし、第１着脱構造部３５ｃ及び第２着脱構造部３６ｃを同じ構造に形成することで、装置構造の複雑化を抑えることができる。
【００８６】
また、前述の実施形態においては、メダル搬送部７０を各受け部材３８により支持しているが、これに限るものではなく、例えば、メダル搬送部７０を設備の設置面に載置するように形成しても良い。この場合、メダル搬送部７０は遊技ホールのフロア上に独立して立つことになり、遊技機島設備１０からメダル搬送部７０を容易に除去することができる。また、メダル搬送部７０を２以上の部分に例えば遊技機島設備１０の長手方向に分離可能に形成することも可能である。この場合には、メダル搬送部７０の除去時にメダル搬送部７０を分離して取り出すことが可能になるので、遊技機島設備１０からメダル搬送部７０を容易に除去することができる。さらに、メダル搬送部７０を分離及び接合可能に形成することもできる。この場合には、分離されたメダル搬送部７０を接合して元に戻すことが可能であり、再び遊技機島設備１０で用いることができる。
【００８７】
ここで、前述のように、島内タンク４９、第１アウト樋４５ａ、第２アウト樋４５ｂ又はメダル搬送部７０を２以上の部分に遊技機島設備１０の長手方向に分離可能に形成する場合には、それらの部分における遊技機島設備１０の長手方向の長さを、遊技機島設備１０の長手方向に並ぶ各島柱３５ａ（あるいは各島柱３６ａ）の個々の離間距離（例えば水平方向の離間距離）よりも短くすることが望ましい。この場合には、島内タンク４９の除去時、島内タンク４９を分離し、遊技機島設備１０の長手方向に並ぶ各島柱３５ａ（あるいは各島柱３６ａ）のそれぞれの間から簡単に取り出すことが可能になるので、遊技機島設備１０から島内タンク４９を容易に除去することができる。また、島内タンク４９の装着時、島内タンク４９を分離し、遊技機島設備１０の長手方向に並ぶ各島柱３５ａ（あるいは各島柱３６ａ）のそれぞれの間から内部に簡単に入れることが可能になるので、遊技機島設備１０に島内タンク４９を容易に装着することができる。
【００８８】
以上、本発明に係る前述の実施形態を説明したが、前述の実施形態は例示であり、発明の範囲を限定するものではない。前述の実施形態は種々変更可能であり、例えば、前述の実施形態に示される構成要素を省略、置き換え、変更しても良く、さらに、異なる実施形態に係る構成要素を適宜組み合わせても良い。前述の実施形態やその変形は、特許請求の範囲に記載された発明とその均等の範囲に含まれるものである。
【符号の説明】
【００８９】
１０…遊技機島設備、２０…パチンコ遊技機、２０ａ…第１パチンコ遊技機、２０ｂ…第２パチンコ遊技機、３０…フレーム、３１…幕板、３２…収納枠、３３…膳板、３４…腰板、３５…第１支持体、３５ａ…島柱、３５ｂ…連結部材、３５ｃ…第１着脱構造部、３５ｃ１…穴部、３６…第２支持体、３６ａ…島柱、３６ｂ…連結部材、３６ｃ…第２着脱構造部、３６ｃ１…穴部、３７…連結体、３７ａ…連結部材、３８…受け部材、４０…遊技媒体循環機構、４１…島上タンク、４１ａ…流入口、４１ｂ…流出口、４２…供給樋、４３…供給シュータ、４４…排出シュータ、４５…アウト樋、４５ａ…第１アウト樋、４５ａ１…挿入部、４５ｂ…第２アウト樋、４５ｂ１…挿入部、４６…オーバーフローホース、４７…分岐ボックス、４８…補給樋、４９…島内タンク、４９ａ…脚部、４９ｂ…誘導板、５０…合流ボックス、５１…誘導樋、５２…揚送研磨装置、６０…スロットマシン、７０…メダル搬送部、５２１…合流部、５２２…研磨材ストック、５２３…戻し通路、５２４…移送機構、５２４ａ…筒体、５２４ｂ…スクリュー部材、５２４ｃ…モータ、５２５…分離機構、５２６…回収機構、５２６ａ…回収体、５２６ｂ…回収管、５２７…集塵機構、５２７ａ…第１集塵経路、５２７ｂ…第２集塵経路、５２７ｃ…集塵装置
【図１】
0006490530.tif 000002
【図２】
0006490530.tif 000003
【図３】
0006490530.tif 000004
【図４】
0006490530.tif 000005
【図５】
0006490530.tif 000006
【図６】
0006490530.tif 000007